【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
基台に組み込む挿入部と、
前記挿入部に連続し、植物又は造花の茎を沿わせる支柱本体と、を備え、
前記支柱本体は、互いに間隔をおいて束にした複数の棒状部材を螺旋状に湾曲させた形状を有し、下方から上方に延びる
仕立用支柱。
【請求項２】
前記挿入部は、前記複数の棒状部材の各々の下端を折り曲げることで形成され、
前記支柱本体は、前記挿入部と連続する部分において、前記挿入部と鈍角をなす
請求項１に記載の仕立用支柱。
【請求項３】
前記支柱本体は、下方から上方に向かう途中で螺旋のピッチが小さくなる
請求項１又は２に記載の仕立用支柱。
【請求項４】
複数の前記挿入部と、
螺旋で囲われる空間を互いに略同一にする複数の前記支柱本体と、
複数の前記支柱本体の各々の上端を支持するリング状の部材と、を備える
請求項１〜３のいずれかに記載の仕立用支柱。
【請求項５】
螺旋で囲われる空間を複数の前記支柱本体と略同一にするつるまきばねを備え、
前記つるまきばねは、複数の前記支柱本体に組み込まれることで、複数の前記支柱本体を支持する
請求項４に記載の仕立用支柱。
【請求項６】
請求項１〜５のいずれかに記載の仕立用支柱と、
前記支柱本体に茎を沿わせた胡蝶蘭又は造花と、を備える
鑑賞用の胡蝶蘭。
【手続補正２】
【補正対象書類名】明細書
【補正対象項目名】発明の名称
【補正方法】変更
【補正の内容】
【発明の名称】鑑賞用の胡蝶蘭、及び仕立用支柱
【手続補正３】
【補正対象書類名】明細書
【補正対象項目名】０００１
【補正方法】変更
【補正の内容】
【０００１】
本発明は、鑑賞用の胡蝶蘭、及び仕立用支柱に関し、仕立用支柱については、特に、蔓（茎）に花を付ける植物、或いは蔓（茎）に花を付ける植物を模した造花等を観賞するためのものに関する。
【手続補正４】
【補正対象書類名】明細書
【補正対象項目名】０００６
【補正方法】変更
【補正の内容】
【０００６】
本発明は、上記の事情に鑑みなされたものであり、あらゆる方向から観賞することを可能にし、室内の大きさに拘わらず、向きを考慮することなく配置を可能にする鑑賞用の胡蝶蘭、及び仕立用支柱の提供を目的とする。
【手続補正５】
【補正対象書類名】明細書
【補正対象項目名】０００７
【補正方法】変更
【補正の内容】
【０００７】
上記の目的を達成するために、本発明に係る仕立用支柱は、基台に組み込む挿入部と、前記挿入部に連続し、植物又は造花の茎を沿わせる支柱本体と、を備え、前記支柱本体は、互いに間隔をおいて束にした複数の棒状部材を螺旋状に湾曲させた形状を有し、下方から上方に延びることを特徴とする。
また、本発明に係る仕立用支柱において、前記挿入部は、前記複数の棒状部材の各々の下端を折り曲げることで形成され、前記支柱本体は、前記挿入部と連続する部分において、前記挿入部と鈍角をなすことを特徴とする。
また、本発明に係る仕立用支柱において、前記支柱本体は、下方から上方に向かう途中で螺旋のピッチが小さくなることを特徴とする。
また、本発明に係る仕立用支柱は、複数の前記挿入部と、螺旋で囲われる空間を互いに略同一にする複数の前記支柱本体と、複数の前記支柱本体の各々の上端を支持するリング状の部材と、を備えることを特徴とする。
また、本発明に係る仕立用支柱は、螺旋で囲われる空間を複数の前記支柱本体と略同一にするつるまきばねを備え、前記つるまきばねは、複数の前記支柱本体に組み込まれることで、複数の前記支柱本体を支持することを特徴とする。
また、本発明に係る鑑賞用の胡蝶蘭は、上記のいずれかの仕立用支柱と、前記支柱本体に茎を沿わせた胡蝶蘭又は造花と、を備えることを特徴とする。
あるいは、本発明は、複数の棒状部材を組み合わせ、植物、或いは造花の茎を前記棒状部材に沿わせることで前記植物、或いは前記造花を支持する仕立用支柱において、複数の前記棒状部材を間隔をおいて束にして、前記束を複数形成し、前記束同士を離して、複数の前記棒状部材の一方の端部側では前記束同士で囲む形状をなし、前記束を形成する、複数の前記棒状部材の一方の端部側は、真っ直ぐに伸びた直線部が形成されており、前記直線部に連続して、前記直線部の終端である第一変曲部から前記直線部に対して鈍角方向に伸びて円弧として形成された第一湾曲部と、前記第一湾曲部は、中心を前記束同士を離して前記束同士で囲む形状の中心にして渦巻き状の空間曲線として前記棒状部材の他方の端部側に向かって形成され、前記渦巻き状の空間曲線が形成されて、前記第一湾曲部が伸びてきた方向と、前記第一湾曲部が伸びてきた方向とは異なる方向に切り替わる第二変曲部が形成され、前記第二変曲部から、前記第一湾曲部に連続して、前記第一変曲部から離れる方向に向って円弧として形成された第二湾曲部と、前記第二湾曲部は、中心を前記束同士を離して前記束同士で囲む形状の中心にして渦巻き状の空間曲線として前記棒状部材の他方の端部側に向かって形成されたことを特徴とする。
【手続補正６】
【補正対象書類名】明細書
【補正対象項目名】０００８
【補正方法】変更
【補正の内容】
【０００８】
従って、上記発明によれば、仕立用支柱は、複数の棒状部材を束にして、その束を複数形成し、束同士で囲む形状をなし、仕立用支柱の一方の端部（棒状部材の一方の端部）側は直線部が形成され、その直線部から連続して第一湾曲部が形成され、その第一湾曲部から連続して、第一湾曲部が伸びてきた方向とは異なる方向に切り替わり、第二湾曲部が形成されることで渦巻き状の空間曲線が形成されている。つまり、複数の棒状部材を並列に間隔をおいて並べた（並べられた棒状部材同士の長手方向を横断する方向に隙間が形成される）、複数の棒状部材の集まりを束として、その束を複数形成し、その束同士を並列に並べて、束同士が囲む状態（閉じる状態）に配置することになる。各複数の棒状部材は、一方の端部側は直線部が形成されており、複数の棒状部材同士を並べた束は、この直線部が複数並ぶことで形成され、直線部同士により束同士が囲む状態（閉じる状態）が形成されることになる。各複数の棒状部材の、直線部の終端である第一変曲部からは第一湾曲部が形成されており、第一湾曲部は直線部に対して鈍角方向に円弧として伸びて形成されている。第一湾曲部が円弧として伸びる方向は、棒状部材の他方の端部側に向かうとともに、束同士が囲む形状を束同士が囲む形状の外側から囲む円弧をなして伸びる方向となっている。第一湾曲部が伸びることで束同士が囲む形状の外側から囲み、複数の第一湾曲部が円弧をなして伸び、複数の第一湾曲部が複数の棒状部材により実質的に平面状の形状をなして、その平面状の形状が切り替わる（反転する）位置が第二変曲部をなすことになる。そして、第二変曲部は各複数の棒状部材に形成されることになる。この第二変曲部からは第二湾曲部が第一湾曲部に連続して円弧として、第一変曲部から離れる方向である、棒状部材の他方の端部側に伸びていく。そして、同様に、第二湾曲部が伸びることで束同士が囲む形状の外側から囲み、複数の第二湾曲部が円弧をなして伸び、複数の第二湾曲部が複数の棒状部材により実質的に平面状の形状をなして、その平面状の形状が切り替わる（反転する）位置が第三変曲部をなすことになる。そして、第三変曲部は各複数の棒状部材に形成されることになる。また、同様に、この第三変曲部からは第三湾曲部が第二湾曲部に連続して円弧として、第二変曲部から離れる方向である、棒状部材の他方の端部側に伸びていく。というように変曲部、湾曲部の形成を繰り返して複数の棒状部材による渦巻き状の空間曲線が形成されることになる。このように、各束で以上の第一湾曲部及び第二湾曲部が形成されることで、束ごとの渦巻き状の空間曲線が形成されることになる。
【手続補正７】
【補正対象書類名】明細書
【補正対象項目名】００１０
【補正方法】変更
【補正の内容】
【００１０】
また、本発明は、上記構成に加え、前記第一湾曲部と前記第二湾曲部とでは、前記第二変曲部を通り、上記仕立用支柱の軸方向を横断する方向に対して前記第一湾曲部より前記第二湾曲部の方が傾斜角度が小さいことを特徴とする。
【手続補正８】
【補正対象書類名】明細書
【補正対象項目名】００１１
【補正方法】変更
【補正の内容】
【００１１】
従って、上記発明によれば、第一湾曲部と第二湾曲部とは第二変曲部を通る、仕立用支柱の軸方向を横断する方向に対して第一湾曲部より第二湾曲部の方が傾斜角度が小さいため、蔓（茎）に花を付ける植物、或いは蔓（茎）に花を付ける植物を模した造花等を第一湾曲部から第二湾曲部にかけてはわす（巻き付ける）ことで花の並びに変化を与えることで見るものに面白みを与えるとともに、第二変曲部から第二湾曲部の方が傾斜角度が小さくなるため、第一湾曲部に第二湾曲部を接近させることになり第一湾曲部に並ぶ花と第二湾曲部に並ぶ花を接近し、より花の密集した状態を作り出すことが可能になり従来の花茎に咲いた花とは異なる花同士の隣接した状態の実現を可能にする。
【手続補正９】
【補正対象書類名】明細書
【補正対象項目名】００１２
【補正方法】変更
【補正の内容】
【００１２】
さらに、本発明は、上記構成に加え、前記各第二変曲部を支持する連結部材が設けられ、該連結部材の中心部からは前記各第二変曲部へ伸びる枝部が形成されており、該枝部の、前記連結部材の中心部とは反対側の端部には連結部が設けられており、前記連結部が前記各第二変曲部に当接して連結され、前記棒状部材の他方の端部を支持するリング状の部材が設けられ、該リング状の部材に複数の前記棒状部材の他方の端部が連結されていることを特徴とする。
【手続補正１０】
【補正対象書類名】明細書
【補正対象項目名】００１３
【補正方法】変更
【補正の内容】
【００１３】
従って、上記発明によれば、仕立用支柱の第二変曲部同士を連結する連結部材を取り付けるとともに、束を形成する、複数の棒状部材の他方の端部（仕立用支柱の他方の端部側）はリング状の部材で連結されるので、仕立用支柱の補強となり蔓（茎）に花を付ける植物、或いは蔓（茎）に花を付ける植物を模した造花等を仕立用支柱にはわせる（巻き付ける）ことで仕立用支柱が変形することを防止することが可能になる。
【手続補正１１】
【補正対象書類名】明細書
【補正対象項目名】００１４
【補正方法】変更
【補正の内容】
【００１４】
また、本発明は、上記構成に加え、前記第一湾曲部と前記第二湾曲部とで形成される渦巻き状の空間曲線を支持する弾力性のある渦巻き状の部材が設けられ、前記第一湾曲部と前記第二湾曲部とで形成される渦巻き状の空間曲線の軸方向と弾力性のある渦巻き状の部材の軸方向を一致させて、前記渦巻き状の空間曲線内に弾力性のある前記渦巻き状の部材を組み込み、弾力性のある前記渦巻き状の部材を前記渦巻き状の空間曲線の各束に当接させて連結させ、前記束を形成する、複数の前記棒状部材の他方の端部はリング状の部材に連結されていることを特徴とする。
【手続補正１２】
【補正対象書類名】明細書
【補正対象項目名】００１５
【補正方法】変更
【補正の内容】
【００１５】
従って、上記発明によれば、第一湾曲部と第二湾曲部とで形成される渦巻き状の空間曲線内に軸方向同士を一致させて弾力性のある渦巻き状の部材を組み込んで、渦巻き状の空間曲線をなす各束に渦巻き状の部材を当接させて、渦巻き状の部材の当接した部分を各束に溶接等により連結することで渦巻き状の空間曲線をなす各束が支持されることで、仕立用支柱を補強されることになり、また、束を形成する、複数の棒状部材の他方の端部（仕立用支柱の他方の端部側）はリング状の部材で連結されるので、蔓（茎）に花を付ける植物、或いは蔓（茎）に花を付ける植物を模した造花等を仕立用支柱にはわせる（巻き付ける）ことで仕立用支柱が変形することを防止することが可能になる。
【手続補正１３】
【補正対象書類名】明細書
【補正対象項目名】００１６
【補正方法】変更
【補正の内容】
【００１６】
さらに、本発明は、上記構成に加え、前記第一湾曲部と前記第二湾曲部とで形成される渦巻き状の空間曲線を支持する弾力性のある渦巻き状の部材が設けられ、前記渦巻き状の空間曲線内に弾力性のある前記渦巻き状の部材の細片を組み込み、弾力性のある前記渦巻き状の部材の細片を前記渦巻き状の空間曲線の各束に当接させて連結させ、前記束を形成する、複数の前記棒状部材の他方の端部はリング状の部材に連結されていることを特徴とする。
【手続補正１４】
【補正対象書類名】明細書
【補正対象項目名】００１７
【補正方法】変更
【補正の内容】
【００１７】
従って、上記発明によれば、第一湾曲部と第二湾曲部とで形成される渦巻き状の空間曲線内に弾力性のある渦巻き状の部材を短く切断した細片を組み込んで、渦巻き状の空間曲線をなす各束に渦巻き状の部材の細片を当接させて、渦巻き状の部材の当接した部分を各束に溶接等により連結することで渦巻き状の空間曲線をなす各束が支持されることで、仕立用支柱を補強されることになり、また、束を形成する、複数の棒状部材の他方の端部（仕立用支柱の他方の端部側）はリング状の部材で連結されるので、蔓（茎）に花を付ける植物、或いは蔓（茎）に花を付ける植物を模した造花等を仕立用支柱にはわせる（巻き付ける）ことで仕立用支柱が変形することを防止することが可能になる。
【手続補正１５】
【補正対象書類名】明細書
【補正対象項目名】００１８
【補正方法】変更
【補正の内容】
【００１８】
また、本発明は、上記構成に加え、前記棒状部材の一方の端部側の、前記直線部には、支持部材が取り付けられており、前記支持部材は、前記直線部が入り込み、前記直線部と固定されるリング部と、前記リング部より前記リング部を中心に十字状に直交する方向に伸びた支持部と、前記支持部の、前記リング部側と反対側の端部側に形成された、前記直線部が植木鉢内に組み込まれることによって、前記植木鉢の縁部に載るフック部と、を備えたことを特徴とする。
【手続補正１６】
【補正対象書類名】明細書
【補正対象項目名】００１９
【補正方法】変更
【補正の内容】
【００１９】
従って、上記発明によれば、仕立用支柱の下方側（棒状部材の一方の端部側の直線部）に支持部材を取り付けて（支持部材のリング部に直線部を入り込ませて取り付けて）、支持部材を棒状部材の直線部に対して垂直にし、リング部の回りに接着剤を塗布することでリング部に入り込んだ棒状部材の直線部を抜け難くすることにより、支持部材（支持部）と棒状部材の直線部とが直交した状態で固定し、リング部から伸びている支持部の端部側（支持部のリング部と反対側）にはフック部が形成されており、支持部材を仕立用支柱（棒状部材の直線部）に取り付けた状態で植木鉢に組み込むと、支持部材のフック部が植木鉢の縁部に載り、植木鉢内に入った直線部は植木鉢内の充填材、蔓（茎）に花を付ける植物、或いは蔓（茎）に花を付ける植物を模した造花等の根（株）によって保持され、仕立用支柱は植木鉢に対して傾斜することなく直立した状態となることが可能になる。
【手続補正１７】
【補正対象書類名】明細書
【補正対象項目名】００２０
【補正方法】変更
【補正の内容】
【００２０】
さらに、本発明は、上記構成に加え、胡蝶蘭の花茎の先端側に向かってアンダーセパル、以下リップを含んだペダル、トップセパルの順の前記胡蝶蘭の花が付いた前記胡蝶蘭の花茎を、前記胡蝶蘭の花を前記束同士で囲む形状とは反対側を向かせて前記束をなす前記棒状部材に沿わせることで、前記胡蝶蘭の花茎を前記棒状部材の一方の端部側から前記棒状部材の他方の端部側で前記渦巻き状の空間曲線に沿って渦巻き状に形成したことを特徴とする。
【手続補正１８】
【補正対象書類名】明細書
【補正対象項目名】００２１
【補正方法】変更
【補正の内容】
【００２１】
従って、上記発明によれば、胡蝶蘭の花茎を仕立用支柱の第一湾曲部と第二湾曲部とで形成される渦巻き状の空間曲線にはわせ（巻き付け）、胡蝶蘭の花茎を棒状部材（第一湾曲部と第二湾曲部）にはわせる（巻き付ける）に際しては、胡蝶蘭の花を束同士で囲む形状とは反対側を向かせて、胡蝶蘭の花を仕立用支柱に対して外側を向かせて（仕立用支柱から外方方向に胡蝶蘭の花を向かせて）棒状部材（第一湾曲部と第二湾曲部）に沿わせ、第一湾曲部及び第二湾曲部に沿って胡蝶蘭の花茎をはわす（巻き付ける）ことにより、容易に渦巻き状に胡蝶蘭の花茎を曲げることが可能になり、胡蝶蘭の花を仕立用支柱（渦巻き状の空間曲線）の回りに咲かせた状態にすることが可能になる。また、蔓（茎）に花を付ける植物を模した造花等の胡蝶蘭の花の場合でも、同様に、胡蝶蘭の花茎を仕立用支柱（棒状部材の一方の端部側から前記棒状部材の他方の端部側で前記渦巻き状の空間曲線）に沿って渦巻き状に形成することになる。
【手続補正１９】
【補正対象書類名】明細書
【補正対象項目名】００２２
【補正方法】変更
【補正の内容】
【００２２】
さらに、本発明は、上記構成に加え、胡蝶蘭の花茎の先端側に向かってトップセパル、以下リップを含んだペダル、アンダーセパルの順の前記胡蝶蘭の花が付いた前記胡蝶蘭の花茎を、前記胡蝶蘭の花を前記束同士で囲む形状とは反対側を向かせて前記束をなす前記棒状部材に沿わせることで、前記胡蝶蘭の花茎を前記棒状部材の一方の端部側から前記棒状部材の他方の端部側で前記渦巻き状の空間曲線に沿って渦巻き状に形成したことを特徴とする。
【手続補正２０】
【補正対象書類名】明細書
【補正対象項目名】００２３
【補正方法】変更
【補正の内容】
【００２３】
従って、上記発明によれば、胡蝶蘭の花茎を仕立用支柱の第一湾曲部と第二湾曲部とで形成される渦巻き状の空間曲線にはわせ（巻き付け）、胡蝶蘭の花茎を棒状部材（第一湾曲部と第二湾曲部）にはわせる（巻き付ける）に際しては、胡蝶蘭の花を束同士で囲む形状とは反対側を向かせて、胡蝶蘭の花を仕立用支柱に対して外側を向かせて（仕立用支柱から外方方向に胡蝶蘭の花を向かせて）棒状部材（第一湾曲部と第二湾曲部）に沿わせ、第一湾曲部及び第二湾曲部に沿って胡蝶蘭の花茎をはわす（巻き付ける）ことにより、容易に渦巻き状に胡蝶蘭の花茎を曲げることが可能になり、胡蝶蘭の花を仕立用支柱（渦巻き状の空間曲線）の回りに咲かせた状態にすることが可能になるとともに、胡蝶蘭の花を、胡蝶蘭の花茎の先端側に向かってトップセパル（上がく片）が上になり、以下リップ（唇弁）を含んだペダル（花弁）、アンダーセパル（下がく片）の順になった状態にすることが可能になり、観賞し易い状態を可能にする。
【手続補正２１】
【補正対象書類名】明細書
【補正対象項目名】００２５
【補正方法】変更
【補正の内容】
【００２５】
また、本発明は、複数の棒状部材を組み合わせ、植物、或いは造花の茎を前記棒状部材に沿わせることで前記植物、或いは前記造花を支持する仕立用支柱において、複数の前記棒状部材を間隔をおいて束にして、前記束を複数形成し、複数の前記棒状部材の一方の端部側では前記束同士を対向させ、前記束を形成する、複数の前記棒状部材の一方の端部側は、真っ直ぐに伸びた直線部が形成されており、前記直線部に連続して、前記直線部の終端である第一変曲部から前記直線部に対して鈍角方向に伸びて円弧として形成された第一湾曲部と、前記第一湾曲部は、中心を前記束同士を離して前記束同士で囲む形状の中心にして渦巻き状の空間曲線として前記棒状部材の他方の端部側に向かって形成され、前記渦巻き状の空間曲線が形成されて、前記第一湾曲部が伸びてきた方向と、前記第一湾曲部が伸びてきた方向とは異なる方向に切り替わる第二変曲部が形成され、前記第二変曲部から、前記第一湾曲部に連続して、前記第一変曲部から離れる方向に向って円弧として形成された第二湾曲部と、前記第二湾曲部は、中心を前記束同士を離して前記束同士で囲む形状の中心にして渦巻き状の空間曲線として前記棒状部材の他方の端部側に向かって形成されたことを特徴とする。
【手続補正２２】
【補正対象書類名】明細書
【補正対象項目名】００２６
【補正方法】変更
【補正の内容】
【００２６】
従って、上記発明によれば、仕立用支柱は、複数の棒状部材を束にして、その束を複数形成し、束同士を対向させ、仕立用支柱の一方の端部（棒状部材の一方の端部）側は直線部が形成され、その直線部から連続して第一湾曲部が形成され、その第一湾曲部から連続して、第一湾曲部が伸びてきた方向とは異なる方向に切り替わり、第二湾曲部が形成されることで渦巻き状の空間曲線が形成されている。つまり、複数の棒状部材を並列に間隔をおいて並べた（並べられた棒状部材同士の長手方向を横断する方向に隙間が形成される）、複数の棒状部材の集まりを束として、その束を複数形成し、その束同士を並列に並べて、束同士が囲む状態（閉じる状態）に配置することになる。各複数の棒状部材は、一方の端部側は直線部が形成されており、複数の棒状部材同士を並べた束は、この直線部が複数並ぶことで形成され、直線部同士により束同士が囲む状態（閉じる状態）が形成されることになる。各複数の棒状部材の、直線部の終端である第一変曲部からは第一湾曲部が形成されており、第一湾曲部は直線部に対して鈍角方向に円弧として伸びて形成されている。第一湾曲部が円弧として伸びる方向は、棒状部材の他方の端部側に向かうとともに、束同士が囲む形状を束同士が囲む形状の外側から囲む円弧をなして伸びる方向となっている。第一湾曲部が伸びることで束同士が囲む形状の外側から囲み、複数の第一湾曲部が円弧をなして伸び、複数の第一湾曲部が複数の棒状部材により実質的に平面状の形状をなして、その平面状の形状が切り替わる（反転する）位置が第二変曲部をなすことになる。そして、第二変曲部は各複数の棒状部材に形成されることになる。この第二変曲部からは第二湾曲部が第一湾曲部に連続して円弧として、第一変曲部から離れる方向である、棒状部材の他方の端部側に伸びていく。というように変曲部、湾曲部の形成を繰り返して複数の棒状部材による渦巻き状の空間曲線が形成されることになる。このように、各束で以上の第一湾曲部及び第二湾曲部が形成されることで、束ごとの渦巻き状の空間曲線が形成されることになる。
【手続補正２３】
【補正対象書類名】明細書
【補正対象項目名】００２８
【補正方法】変更
【補正の内容】
【００２８】
さらに、本発明は、上記構成に加え、前記第一湾曲部と前記第二湾曲部とでは、前記第二変曲部を通り、上記仕立用支柱の軸方向を横断する方向に対して前記第一湾曲部より前記第二湾曲部の方が傾斜角度が小さいことを特徴とする。
【手続補正２４】
【補正対象書類名】明細書
【補正対象項目名】００２９
【補正方法】変更
【補正の内容】
【００２９】
従って、上記発明によれば、第一湾曲部と第二湾曲部とは第二変曲部を通る、仕立用支柱の軸方向を横断する方向に対して第一湾曲部より第二湾曲部の方が傾斜角度が小さいため、蔓（茎）に花を付ける植物、或いは蔓（茎）に花を付ける植物を模した造花等を第一湾曲部から第二湾曲部にかけてはわす（巻き付ける）ことで花の並びに変化を与えることで見るものに面白みを与えるとともに、第二変曲部から第二湾曲部の方が傾斜角度が小さくなるため、第一湾曲部に第二湾曲部を接近させることになり第一湾曲部に並ぶ花と第二湾曲部に並ぶ花を接近し、より花の密集した状態を作り出すことが可能になり従来の花茎に咲いた花とは異なる花同士の隣接した状態の実現を可能にする。
【手続補正２５】
【補正対象書類名】明細書
【補正対象項目名】００３０
【補正方法】変更
【補正の内容】
【００３０】
また、本発明は、上記構成に加え、前記各第二変曲部を支持する連結部材が設けられ、該連結部材の中心部からは前記各第二変曲部へ伸びる枝部が形成されており、該枝部の、前記連結部材の中心部とは反対側の端部には連結部が設けられており、前記連結部が前記各第二変曲部に当接して連結され、前記棒状部材の他方の端部を支持するリング状の部材が設けられ、該リング状の部材に複数の前記棒状部材の他方の端部が連結されていることを特徴とする。
【手続補正２６】
【補正対象書類名】明細書
【補正対象項目名】００３１
【補正方法】変更
【補正の内容】
【００３１】
従って、上記発明によれば、仕立用支柱の第二変曲部同士を連結する連結部材を取り付けるとともに、束を形成する、複数の棒状部材の他方の端部（仕立用支柱の他方の端部側）はリング状の部材で連結されるので、仕立用支柱の補強となり蔓（茎）に花を付ける植物、或いは蔓（茎）に花を付ける植物を模した造花等を仕立用支柱にはわせる（巻き付ける）ことで仕立用支柱が変形することを防止することが可能になる。
【手続補正２７】
【補正対象書類名】明細書
【補正対象項目名】００３２
【補正方法】変更
【補正の内容】
【００３２】
さらに、本発明は、上記構成に加え、前記棒状部材の一方の端部側の、前記直線部には、支持部材が取り付けられており、前記支持部材は、前記直線部が入り込み、前記直線部と固定されるリング部と、前記リング部より前記リング部を中心に十字状に直交する方向に伸びた支持部と、前記支持部の、前記リング部側と反対側の端部側に形成された、前記直線部が植木鉢内に組み込まれることによって、前記植木鉢の縁部に載るフック部と、を備えたことを特徴とする。
【手続補正２８】
【補正対象書類名】明細書
【補正対象項目名】００３３
【補正方法】変更
【補正の内容】
【００３３】
従って、上記発明によれば、仕立用支柱の下方側（棒状部材の一方の端部側の直線部）に支持部材を取り付けて（支持部材のリング部に直線部を入り込ませて取り付けて）、支持部材を棒状部材の直線部に対して垂直にし、リング部の回りに接着剤を塗布することでリング部に入り込んだ棒状部材の直線部を抜け難くすることにより、支持部材（支持部）と棒状部材の直線部とが直交した状態で固定し、リング部から伸びている支持部の端部側（支持部のリング部と反対側）にはフック部が形成されており、支持部材を仕立用支柱（棒状部材の直線部）に取り付けた状態で植木鉢に組み込むと、支持部材のフック部が植木鉢の縁部に載り、植木鉢内に入った直線部は植木鉢内の充填材、蔓（茎）に花を付ける植物、或いは蔓（茎）に花を付ける植物を模した造花等の根（株）によって保持され、仕立用支柱は植木鉢に対して傾斜することなく直立した状態となることが可能になる。
【手続補正２９】
【補正対象書類名】明細書
【補正対象項目名】００３４
【補正方法】変更
【補正の内容】
【００３４】
さらに、本発明は、上記構成に加え、胡蝶蘭の花茎の先端側に向かってアンダーセパル、以下リップを含んだペダル、トップセパルの順の前記胡蝶蘭の花が付いた前記胡蝶蘭の花茎を、前記胡蝶蘭の花を前記束同士が対向する側とは反対側を向かせて前記束をなす前記棒状部材に沿わせることで、前記胡蝶蘭の花茎を前記棒状部材の一方の端部側から前記棒状部材の他方の端部側で渦巻き状に形成したことを特徴とする。
【手続補正３０】
【補正対象書類名】明細書
【補正対象項目名】００３５
【補正方法】変更
【補正の内容】
【００３５】
従って、上記発明によれば、胡蝶蘭の花茎を仕立用支柱の第一湾曲部と第二湾曲部とで形成される渦巻き状の空間曲線にはわせ（巻き付け）、胡蝶蘭の花茎を棒状部材（第一湾曲部と第二湾曲部）にはわせる（巻き付ける）に際しては、胡蝶蘭の花を束同士が対向する側とは反対側を向かせて、胡蝶蘭の花を仕立用支柱に対して外側を向かせて（仕立用支柱から外方方向に胡蝶蘭の花を向かせて）棒状部材（第一湾曲部と第二湾曲部）に沿わせ、第一湾曲部及び第二湾曲部に沿って胡蝶蘭の花茎をはわす（巻き付ける）ことにより、容易に渦巻き状に胡蝶蘭の花茎を曲げることが可能になり、胡蝶蘭の花を仕立用支柱（渦巻き状の空間曲線）の回りに咲かせた状態にすることが可能になる。また、蔓（茎）に花を付ける植物を模した造花等の胡蝶蘭の花の場合でも、同様に、胡蝶蘭の花茎を仕立用支柱（渦巻き状の空間曲線）に沿って渦巻き状に形成することになる。
【手続補正３１】
【補正対象書類名】明細書
【補正対象項目名】００３６
【補正方法】変更
【補正の内容】
【００３６】
また、本発明は、上記構成に加え、胡蝶蘭の花茎の先端側に向かってトップセパル、以下リップを含んだペダル、アンダーセパルの順の前記胡蝶蘭の花が付いた前記胡蝶蘭の花茎を、前記胡蝶蘭の花を前記束同士が対向する側とは反対側を向かせて前記束をなす前記棒状部材に沿わせることで、前記胡蝶蘭の花茎を前記棒状部材の一方の端部側から前記棒状部材の他方の端部側で渦巻き状に形成したことを特徴とする。
【手続補正３２】
【補正対象書類名】明細書
【補正対象項目名】００３７
【補正方法】変更
【補正の内容】
【００３７】
従って、上記発明によれば、胡蝶蘭の花茎を仕立用支柱の第一湾曲部と第二湾曲部とで形成される渦巻き状の空間曲線にはわせ（巻き付け）、胡蝶蘭の花茎を棒状部材（第一湾曲部と第二湾曲部）にはわせる（巻き付ける）に際しては、胡蝶蘭の花を束同士が対向する側とは反対側を向かせて、胡蝶蘭の花を仕立用支柱に対して外側を向かせて（仕立用支柱から外方方向に胡蝶蘭の花を向かせて）棒状部材（第一湾曲部と第二湾曲部）に沿わせ、第一湾曲部及び第二湾曲部に沿って胡蝶蘭の花茎をはわす（巻き付ける）ことにより、容易に渦巻き状に胡蝶蘭の花茎を曲げることが可能になり、胡蝶蘭の花を仕立用支柱（渦巻き状の空間曲線）の回りに咲かせた状態にすることが可能になるとともに、胡蝶蘭の花を、胡蝶蘭の花茎の先端側に向かってトップセパル（上がく片）が上になり、以下リップ（唇弁）を含んだペダル（花弁）、アンダーセパル（下がく片）の順になった状態にすることが可能になり、観賞し易い状態を可能にする。
【手続補正３３】
【補正対象書類名】明細書
【補正対象項目名】００３９
【補正方法】変更
【補正の内容】
【００３９】
また、本発明は、複数の棒状部材を組み合わせ、植物、或いは造花の茎を前記棒状部材に沿わせることで前記植物、或いは前記造花を支持する仕立用支柱において、複数の前記棒状部材を間隔をおいて束にして、前記束を形成する、複数の前記棒状部材の一方の端部には、リング状の部材に連結され、前記リング状の部材に連結された、複数の前記棒状部材の一方の端部から真っ直ぐに伸びた直線部が形成されており、前記直線部に連続して、前記直線部の終端である変曲部から前記直線部に対して鈍角方向に伸びて円弧として形成された湾曲部と、前記湾曲部は、渦巻き状の空間曲線として前記棒状部材の他方の端部側に向かって形成され、前記渦巻き状の空間曲線が形成されて、前記湾曲部が伸びてきた方向と、前記湾曲部が伸びてきた方向とは異なる方向に切り替わる、さらなる変曲部が形成され、前記変曲部から、前記湾曲部に連続して、前記変曲部から離れる方向に向って円弧として、さらなる湾曲部が形成され、前記湾曲部は、前記直線部の状態である複数の前記棒状部材に対して少なくとも一回転しながら、渦巻き状の空間曲線として前記棒状部材の他方の端部側に向かって形成され、前記棒状部材の他方の端部側では、複数の前記棒状部材の他方の端部が一点に収束して連結され、複数の前記棒状部材の他方の端部である一点に収束して連結された位置が前記直線部の終端である前記変曲部より上方側に形成されていることを特徴とする。
【手続補正３４】
【補正対象書類名】明細書
【補正対象項目名】００４０
【補正方法】変更
【補正の内容】
【００４０】
従って、上記発明によれば、仕立用支柱は、複数の棒状部材を束にして、その束を複数形成し、束同士を対向させ、仕立用支柱の一方の端部（棒状部材の一方の端部）側は直線部が形成され、その直線部から連続して湾曲部が形成され、その湾曲部から連続して、湾曲部が伸びてきた方向とは異なる方向に切り替わり、湾曲部が形成されることで渦巻き状の空間曲線が形成されており、その渦巻き状の空間曲線は直線部に対して少なくとも一回転して形成されており、仕立用支柱の一方の端部（棒状部材の一方の端部）は複数の棒状部材の他方の端部は一点に収束して連結され、仕立用支柱の一方の端部（棒状部材の一方の端部）は直線部の終端である変曲部より上方側に形成されている。つまり、複数の棒状部材を並列に間隔をおいて並べた（並べられた棒状部材同士の長手方向を横断する方向に隙間が形成される）、複数の棒状部材の集まりを束とする。そして、各複数の棒状部材は、一方の端部側は直線部が形成されており、複数の棒状部材同士を並べた束は、この直線部が複数並ぶことになる。各複数の棒状部材の、直線部の終端である変曲部（第一変曲部）からは湾曲部（第一湾曲部）が形成されており、湾曲部（第一湾曲部）は直線部に対して鈍角方向に円弧として伸びて形成されている。湾曲部（第一湾曲部）が円弧として伸びる方向は、棒状部材の他方の端部側に向かうとともに、束の形状を外側から囲む円弧をなして伸びる方向となっている。湾曲部（第一湾曲部）が伸びることで束の形状の外側から囲み、複数の湾曲部（第一湾曲部）が円弧をなして伸び、複数の第一湾曲部が複数の棒状部材により実質的に平面状の形状をなして、その平面状の形状が切り替わる（反転する）位置が変曲部（第二変曲部）をなすことになる。そして、変曲部（第二変曲部）は各複数の棒状部材に形成されることになる。この変曲部（第二変曲部）からは湾曲部（第二湾曲部）が湾曲部（第一湾曲部）に連続して円弧として、変曲部（第一変曲部）から離れる方向である、棒状部材の他方の端部側に伸びていく。そして、同様に、湾曲部（第二湾曲部）が伸びることで束の形状の外側から囲み、複数の湾曲部（第二湾曲部）が円弧をなして伸び、複数の湾曲部（第二湾曲部）が複数の棒状部材により実質的に平面状の形状をなして、その平面状の形状が切り替わる（反転する）位置が変曲部（第三変曲部）をなすことになる。そして、変曲部（第三変曲部）は各複数の棒状部材に形成されることになる。また、同様に、この変曲部（第三変曲部）からは湾曲部（第三湾曲部）が湾曲部（第二湾曲部）に連続して円弧として、変曲部（第二変曲部）から離れる方向である、棒状部材の他方の端部側に伸びていく。というように変曲部、湾曲部の形成を繰り返して複数の棒状部材による渦巻き状の空間曲線が形成されることになる。
【手続補正３５】
【補正対象書類名】明細書
【補正対象項目名】００４２
【補正方法】変更
【補正の内容】
【００４２】
また、本発明は、上記構成に加え、前記棒状部材の一方の端部側の、前記直線部には、リング状の部材が取り付けられており、前記リング状の部材は、前記棒状部材の一方の端部側に対して垂直に取り付けられ、植木鉢の内周面に当接することが可能であることを特徴とする。
【手続補正３６】
【補正対象書類名】明細書
【補正対象項目名】００４３
【補正方法】変更
【補正の内容】
【００４３】
従って、上記発明によれば、各棒状部材の一方の端部を全て連結する、金属製のリング状の部材を取り付けることで、仕立用支柱を植木鉢に組み込む際に仕立用支柱を安定させた状態で組み込むことが可能になる。具体的には、仕立用支柱を植木鉢に組み込むと、リング状の部材が植木鉢内の内周面に当接することで、仕立用支柱が植木鉢に対して傾斜して組み込まれる等、不安定な状態で仕立用支柱が植木鉢に組み込まれ難くなる。つまり、リング状の部材を植木鉢の内周面に当接させることでリング状の部材は植木鉢の軸方向と垂直になり、仕立用支柱（の直線部）が植木鉢（の軸方向）に対して沿うことになる。
【手続補正３７】
【補正対象書類名】明細書
【補正対象項目名】００４４
【補正方法】変更
【補正の内容】
【００４４】
さらに、本発明は、上記構成に加え、胡蝶蘭の花茎の先端側に向かってアンダーセパル、以下リップを含んだペダル、トップセパルの順の前記胡蝶蘭の花が付いた前記胡蝶蘭の花茎を、前記渦巻き状の空間曲線として形成された前記棒状部材に沿わせることで、前記胡蝶蘭の花茎を前記棒状部材の一方の端部側から前記棒状部材の他方の端部側で渦巻き状に形成したことを特徴とする。
【手続補正３８】
【補正対象書類名】明細書
【補正対象項目名】００４５
【補正方法】変更
【補正の内容】
【００４５】
従って、上記発明によれば、胡蝶蘭の花茎を仕立用支柱の渦巻き状の空間曲線にはわせ（巻き付け）、渦巻き状の空間曲線（棒状部材）に沿わせ、渦巻き状の空間曲線に沿って胡蝶蘭の花茎をはわす（巻き付ける）ことにより、容易に渦巻き状に胡蝶蘭の花茎を曲げることが可能になり、胡蝶蘭の花を仕立用支柱（渦巻き状の空間曲線）の回りに咲かせた状態にすることが可能になる。また、蔓（茎）に花を付ける植物を模した造花等の胡蝶蘭の花の場合でも、同様に、胡蝶蘭の花茎を仕立用支柱に沿って渦巻き状に形成することになる。
【手続補正３９】
【補正対象書類名】明細書
【補正対象項目名】００４６
【補正方法】変更
【補正の内容】
【００４６】
さらに、本発明は、上記構成に加え、胡蝶蘭の花茎の先端側に向かってトップセパル、以下リップを含んだペダル、アンダーセパルの順の前記胡蝶蘭の花が付いた前記胡蝶蘭の花茎を、前記渦巻き状の空間曲線として形成された前記棒状部材に沿わせることで、前記胡蝶蘭の花茎を前記棒状部材の一方の端部側から前記棒状部材の他方の端部側で渦巻き状に形成したことを特徴とする。
【手続補正４０】
【補正対象書類名】明細書
【補正対象項目名】００４７
【補正方法】変更
【補正の内容】
【００４７】
従って、上記発明によれば、仕立用支柱は、複数の棒状部材を束にして、その束を複数形成し、束同士を対向させ、仕立用支柱の一方の端部（棒状部材の一方の端部）側は直線部が形成され、その直線部から連続して湾曲部が形成され、その湾曲部から連続して、湾曲部が伸びてきた方向とは異なる方向に切り替わり、湾曲部が形成されることで渦巻き状の空間曲線が形成されており、その渦巻き状の空間曲線は直線部に対して少なくとも一回転して形成されており、仕立用支柱の一方の端部（棒状部材の一方の端部）は複数の棒状部材の他方の端部は一点に収束して連結され、仕立用支柱の一方の端部（棒状部材の一方の端部）は直線部の終端である変曲部より上方側に形成されているので、その渦巻き状の空間曲線をなした棒状部材のいずれかに蔓（茎）に花を付ける植物、或いは蔓（茎）に花を付ける植物を模した造花等をはわす（巻き付ける）ことで蔓に付いた花が渦巻き状に咲いている状態を実現し、仕立用支柱のどの方向にも花を付けた状態になる（仕立用支柱の回り花が付いた状態になる）。また、仕立用支柱は全体が棒状部材により渦巻き状の空間曲線をなしているので、蔓（茎）に花を付ける植物、或いは蔓（茎）に花を付ける植物を模した造花等をコンパクトにまとめることができ、仕立用支柱を用いることで蔓（茎）に花を付ける植物、或いは蔓（茎）に花を付ける植物を模した造花等を室内等に配置する際に広い領域を占有することがなくなる。さらに、胡蝶蘭の花を、胡蝶蘭の花茎の先端側に向かってトップセパル（上がく片）が上になり、以下リップ（唇弁）を含んだペダル（花弁）、アンダーセパル（下がく片）の順になった状態にすることが可能になり、観賞し易い状態を可能にする。